(57)【要約】【課題】タンクへの排出オーガの穀粒排出効率の低下、操作性および作業性の低下。【解決手段】横排出オーガ６の先端のオーガ筒１６には回転機構２０によりオーガ筒１６の円周方向に回動自在にオーガ穀粒排出部１０を設け、オーガ穀粒排出部１０には超音波センサ３５を設け、オーガ穀粒排出部１０は、最も低い位置で、タンク３６の左右の略中央真下に排出口１１を向けて排出し、次に、排出口１１を左右何れか一方に首振りさせて一方側へ排出させ、次に、排出口１１を左右何れか他方に首振りさせて他方側へ排出させて、これを一行程とし、この一行程の排出が終了すると、排出口１１を自動的に所定高さ上昇させて、また、中央真下位置から左右への首振り排出を反復させるように構成したコンバイン。【選択図】図６
2009011171.tif 000002
【特許請求の範囲】
【請求項１】
グレンタンク（４）内の穀粒を排出する縦揚穀装置（５）に接続した横排出オーガ（６）の先端のオーガ穀粒排出部（１０）は、そのオーガ筒（１６）の先端に、回転機構（２０）によりオーガ筒（１６）の軸心方向に対する円周方向に回動自在に設け、該オーガ穀粒排出部（１０）には超音波センサ（３５）を設け、オーガ穀粒排出部（１０）は、最も低い位置で、タンク（３６）の左右の略中央真下に排出口（１１）を向けて排出し、次に、排出口（１１）を左右何れか一方に首振りさせて一方側へ排出させ、次に、排出口（１１）を左右何れか他方に首振りさせて他方側へ排出させて、これを一行程とし、この一行程の排出が終了すると、排出口（１１）を自動的に所定高さ上昇させて、また、中央真下位置から左右への首振り排出を反復させるように構成したコンバイン。
【請求項２】
請求項１において、前記オーガ穀粒排出部（１０）の首振り角度は、操作部の角度設定ダイヤル（３９）により任意に設定できるように構成したコンバイン。
【請求項３】
請求項１または請求項２において、前記オーガ穀粒排出部（１０）は、排出作業中の上昇行程における上昇高を排出高さ設定ダイヤル（５０）により任意に設定できるように構成したコンバイン。
【発明の詳細な説明】
【技術分野】
【０００１】
本発明は、コンバインに係るものである。
【背景技術】
【０００２】
従来、グレンタンク内の穀粒を排出する横排出オーガを縦揚穀装置に旋回および上下自在に接続し、横排出オーガの先端の排出口に、タンク内の穀粒が接触すると、一旦上昇させてから旋回させて穀粒の山の頂上より移動させ、次に、排出口を下降させるようにした構成は、公知である（特許文献１参照）。
また、従来、横排出オーガの先端のオーガ穀粒排出部の左右側面に超音波センサを設け、該センサによりタンクの左右側壁を検知して、中央真下に排出口が向くように制御するようにした構成は公知である（特許文献２参照）。
【特許文献１】実用新案登録２５９０５９５号公報
【特許文献２】特開平０６−１４１６６２号公報
【発明の開示】
【発明が解決しようとする課題】
【０００３】
前記公知例のうち実用新案登録２５９０５９５号公報に記載されたものは、排出口の詰まりを防止するために、排出口を穀粒の山の頂上より移動させてから下降させるので、作業が繁雑で作業効率が低く、また、制御も面倒であるという課題がある。
また、前記公知例のうち特開平０６−１４１６６２号公報に記載されたものは、タンクの中央真下に排出口を向くよう制御するものであるから、タンク中央に穀粒が排出され、タンクの隅に穀粒が排出されないという課題がある。
本願は、タンクの隅々まで穀粒が排出でき、しかも、操作を自動化して操作性を向上させたものである。
【課題を解決するための手段】
【０００４】
本発明は、グレンタンク４内の穀粒を排出する縦揚穀装置５に接続した横排出オーガ６の先端のオーガ穀粒排出部１０は、そのオーガ筒１６の先端に、回転機構２０によりオーガ筒１６の軸心方向に対する円周方向に回動自在に設け、該オーガ穀粒排出部１０には超音波センサ３５を設け、オーガ穀粒排出部１０は、最も低い位置で、タンク３６の左右の略中央真下に排出口１１を向けて排出し、次に、排出口１１を左右何れか一方に首振りさせて一方側へ排出させ、次に、排出口１１を左右何れか他方に首振りさせて他方側へ排出させて、これを一行程とし、この一行程の排出が終了すると、排出口１１を自動的に所定高さ上昇させて、また、中央真下位置から左右への首振り排出を反復させるように構成したコンバインとしたものであり、機体を走行させて刈取部３により圃場の穀稈を刈取って脱穀装置２で脱穀し、脱穀した穀粒をグレンタンク４にて一時貯留し、グレンタンク４が一杯になると縦揚穀装置５により揚穀し、揚穀した穀粒を横排出オーガ６により、圃場近傍の運搬車のタンクに放出する。
横排出オーガ６は、縦揚穀装置５に中心に縦軸旋回および上下させてトラックのタンク３６の左右中央下向きに位置合わせして、穀粒を排出し、超音波センサ３５はタンク３６内にできる穀粒の山Ｙの高さを検出し、オーガ穀粒排出部１０をオーガ筒１６の円周方向に左右に首振りさせさせて排出し、次に、超音波センサ３５によりタンク３６内の山Ｙの高さを検出して所定高さになると、自動的にオーガ穀粒排出部１０を所定高さだけ上昇させて、再び、首振りさせさせて排出し、これを反復して首振り排出自動制御を行う。
したがって、タンク３６内の両側の隅々まで均平に穀粒を排出させられ、しかも、一行程の排出が終了すると、排出口１１を自動的に所定高さに上昇させて、山Ｙから排出口１１を離すので、排出口１１に穀粒が詰まるのを防止する。
本発明は、前記オーガ穀粒排出部１０の首振り角度は、操作部の角度設定ダイヤル３９により任意に設定できるように構成したコンバインとしたものであり、オーガ穀粒排出部１０の首振り角度は、操縦部７の操作部３８の角度設定ダイヤル３９により任意に設定できるので、穀粒運搬車のタンク３６の大きさや形状に合わせて首振り角度を変更して、タンク３６内への隅々にまで穀粒を均平に排出させる。
本発明は、前記オーガ穀粒排出部１０は、排出作業中の上昇行程における上昇高を排出高さ設定ダイヤル５０により任意に設定できるように構成したコンバインとしたものであり、首振り排出自動制御中の、左右首振り行程後のオーガ穀粒排出部１０の上昇行程において、この上昇高を排出高さ設定ダイヤル５０により任意に設定できるので、穀粒運搬車のタンク３６の高さに合わせて排出高さを変更でき、タンク３６内への隅々にまで穀粒を均平に排出させる。
【発明の効果】
【０００５】
請求項１の発明では、タンク３６内の左右両側の隅々まで均平に穀粒を排出させられ、左右首振りの一行程の排出が終了すると、排出口１１を自動的に所定高さに上昇させて、山Ｙから排出口１１を離すので、排出口１１に穀粒が詰まるのを防止できる。
する。
請求項２の発明では、オーガ穀粒排出部１０の首振り角度を任意に設定変更できるので、穀粒運搬車のタンク３６の大きさや形状に合わせて、タンク３６内への隅々にまで穀粒を均平に排出させることができ、タンク３６の穀粒充填効率を向上させることができる。
請求項３の発明では、オーガ穀粒排出部１０の上昇高さを任意に設定できるので、穀粒運搬車のタンク３６の高さに合わせて排出高さを変更でき、タンク３６内への隅々にまで穀粒を均平に排出させ、タンク３６の穀粒充填効率を向上させることができる。
【発明を実施するための最良の形態】
【０００６】
本発明の一実施例を図により説明すると、１は走行装置、２は走行装置１の上方に設けた脱穀装置、３は脱穀装置２の前方に設けた刈取部、４は脱穀装置２の側部に設けたグレンタンク、５はグレンタンク４内の穀粒を排出する縦揚穀装置、６は横排出オーガ、７は操縦部である。
横排出オーガ６の先端のオーガ穀粒排出部１０の排出口１１は、前記縦揚穀装置５の軸芯中心として縦揚穀装置５の円周方向に旋回自在に構成する。オーガ穀粒排出部１０の旋回構成は任意であり、縦揚穀装置５の揚穀筒１２を機体に対して回転自在に取付け、揚穀筒１２を旋回モーター１３により機体に対して回転させてオーガ穀粒排出部１０を左右に旋回させる。
また、縦揚穀装置５の上部の引継部に対して横排出オーガ６の基部を回動自在に取付け、縦揚穀装置５と横排出オーガ６の間に上下用シリンダ１５を設け、上下用シリンダ１５によりオーガ穀粒排出部１０を上下させる。
【０００７】
しかして、前記横排出オーガ６のオーガ穀粒排出部１０は、そのオーガ筒１６の先端に、オーガ筒１６の軸心方向に対する円周方向に回動自在に設ける。なお、オーガ穀粒排出口１１は前記縦揚穀装置５中心にも旋回するため、これと区別するためにオーガ筒１６軸心中心に「回転（スイング）」と表現しているが、３６０度に複数回の回転することを意味するものではなく、この表現によって構成は限定されない。
また、オーガ穀粒排出口１１がオーガ筒１６に対して回転（旋回）すればよく、穀粒排出部オーガ穀粒排出部１０とオーガ筒１６との取付構成は任意である。
前記オーガ穀粒排出部１０には、回転（スイング）機構２０を設ける。回転機構２０はスイング用モータ２１の出力歯車（図示省略）にオーガ穀粒排出部１０に固定の受動歯車２３を噛み合わせて構成する。オーガ穀粒排出部１０には、スイング位置検出装置２４を設ける。スイング位置検出装置２４は、オーガ穀粒排出部１０にポテンショメータ２５を設け、ポテンショメータ２５の作動軸２６にギヤ２７を固定し、ギヤ２７を前記受動歯車２３の軸２８に固定の歯車２９に噛み合わせる。
【０００８】
したがって、歯車２９の回転によりギヤ２７が回動してポテンショメータ２５の作動軸２６を回転させて、オーガ穀粒排出口１１の位置を検出できる。
しかして、オーガ穀粒排出部１０には、超音波センサ３５を設ける。超音波センサ３５は、タンク３６内にできる穀粒の山Ｙの高さを検出し（図６）、オーガ穀粒排出部１０をオーガ筒１６の円周方向に左右に首振りさせさせて排出し（図７，図８）、次に、超音波センサ３５によりタンク３６内の山Ｙの高さを検出して所定高さになると、自動的にオーガ穀粒排出部１０を上昇させて、再び、首振りさせて排出し、これを反復する首振り排出自動制御を行う。
即ち、オーガ穀粒排出部１０は、最初、最も低い位置で、タンク３６の左右の略中央真下に排出口１１を向けて排出させ、次に、排出口１１を左右何れか一方に首振りさせて一方側へ排出させ、次に、排出口１１を左右何れか他方に首振りさせて他方側へ排出させて、これを一行程とし、一行程の排出が終了すると、排出口１１を自動的に所定高さ上昇させて、また、中央真下位置から左右への首振り排出を反復させるように構成する。
【０００９】
したがって、タンク３６内の左右両側に均平に穀粒を排出させられ、しかも、一行程の排出が終了すると、排出口１１を自動的に所定高さ上昇させて（図９）、山Ｙから排出口１１を離すので、排出口１１に穀粒が詰まるのを防止する。
前記排出口１１の首振りは、自動的に行う。例えば、左右の略中央真下に排出して山Ｙが所定高さになったことを超音波センサ３５が検出すると、次の左右何れか一方に排出口１１を首振りさせ、一方側へ穀粒排出して山Ｙが所定高さになったことを超音波センサ３５が検出すると、次の左右何れか他方に排出口１１を首振りさせて一行程の排出が終了すると、山Ｙより自動的に所定高さ排出口１１を上昇させ、前記中央真下位置から左右への首振り排出を反復させる。
この場合、排出口１１を左右方向に首振りさせたとき、首振り角度に応じて、排出口１１から山Ｙまでの所定距離を自動的に算出するように構成する。
【００１０】
即ち、真下に向いた排出口１１と山Ｙとの距離を基準とした首振り角度に応じて、例えば、首振り角度が４５度とした場合、ルート２の距離と排出口１１から山Ｙまでの距離を自動的に算出し、ルート２の距離に山Ｙの高さがなったことを超音波センサ３５が検出すると、次の排出方向に排出口１１が首振りするようにする（図１０、図１１）。
また、オーガ穀粒排出部１０の排出口１１が真下に向いたときに、超音波センサ３５が排出口１１と山Ｙとの距離を測定するように構成する（図１２）。
したがって、オーガ穀粒排出部１０の排出口１１が真下に向いたときに、超音波センサ３５が排出口１１と山Ｙとの距離を測定するので、排出口１１と山Ｙとの最短距離を選定することができる。
【００１１】
しかして、オーガ穀粒排出部１０の首振り角度は、操作部の角度設定ダイヤル３９により任意に設定できるように構成すると（図１３、図１４）、穀粒運搬車のタンク３６の大きさや形状に合わせて首振り角度を変更でき、タンク３６内への隅々にまで穀粒を均平に排出させることができ、タンク３６の穀粒充填効率を向上させることができる。
即ち、オーガ穀粒排出部１０のスイング位置検出装置スイング位置検出装置２４のポテンショメータ２５により検出するオーガ穀粒排出部１０の角度を検出し、角度設定ダイヤル３９により任意に設定したオーガ穀粒排出部１０の首振り角度となるように、オーガ穀粒排出部１０の回転機構２０のスイング用モータ２１を自動制御するように構成している。
なお、角度設定ダイヤル３９によるオーガ穀粒排出部１０の首振り角度の設定は、例えば、図１３のように、１５度（θ１）、３０度（θ２）、４５度、６０度（θ３）のように段階的に首振りするようにし、最大首振り角を角度設定ダイヤル３９により選択するようにしても良い。
【００１２】
図中、４０は操作部３８に設けた前進と後進の切替および走行速度の変速操作する主変速レバー、４１は副変速レバー、４２は前記脱穀装置２の駆動を入り切りさせる脱穀クラッチレバーであり、脱穀クラッチレバー４２は、その基部を機体の固定部に回動自在に取付け、図示は省略するが、脱穀クラッチレバー４２と脱穀クラッチとをワイヤー等の連結手段により連結し、脱穀クラッチを入り切りさせる。
４３は刈取装置３の駆動を入り切りさせる刈取クラッチスイッチであり、該刈取クラッチスイッチ４３は任意の手段により刈取クラッチ（図示省略）を入り切りするように連結する。４４は手動扱深さスイッチ、４５は自動扱深さスイッチ、４６は自動方向制御スイッチ、４７は刈取駆動自動停止制御スイッチであり、刈取駆動自動停止制御スイッチ４７により刈取駆動自動停止制御を「入り」にすると、刈取部５の旋回のための昇降に応じて、刈取部３への駆動および脱穀装置２に穀稈を供給する穀稈供給搬送装置４８への駆動を自動的に入り切りの自動制御を行う。
【００１３】
しかして、前記「首振り排出自動制御」中の、左右首振り行程後のオーガ穀粒排出部１０の上昇行程において、この上昇高を排出高さ設定ダイヤル５０により任意に設定できるように構成すると、穀粒運搬車のタンク３６の高さに合わせて排出高さを変更でき、タンク３６内への隅々にまで穀粒を均平に排出させることができ、タンク３６の穀粒充填効率を向上させることができる。
即ち、横排出オーガ６の高さ検出用のポテンショメータ（図示省略）により高さを検出して、排出高さ設定ダイヤル５０により設定したオーガ穀粒排出部１０の高さとなるように、上下用シリンダ１５の伸縮を自動制御して、オーガ穀粒排出部１０を所定量上昇するように構成している。
【００１４】
また、排出口１１を常に左右に首振りさせながら穀粒を排出するように構成し、オーガ穀粒排出部１０に設けた超音波センサ３５により排出口１１と山Ｙとの距離が所定以下に近づくと、間欠音の報知手段５１を鳴動させ、排出口１１に山Ｙが接触する間際にまで近づくと連続音で報知手段５１を鳴動させるように構成すると共に、連続音により報知手段５１を鳴動させても横排出オーガ６を操作しないときには、自動的に上下用シリンダ１５を伸張させてオーガ穀粒排出部１０を上昇させるように構成する。
したがって、自動的に横排出オーガ６を上昇させるので、芽詰まりの発生を防止し、操作性を向上させる。
【００１５】
しかして、前記「首振り排出自動制御」は、コンバインの穀粒排出クラッチ（図示省略）が「入り」から「切り」にするまで、前記行程を反復するように構成する。
そのため、穀粒運搬車が軽トラックや大型トラック等の何れの場合であってもタンク３６内に隅にまで穀粒を均平に排出させられる。
しかして、図１４，図１５の実施例は、オーガ穀粒排出部１０に超音波センサ３５を設けるが、オーガ穀粒排出部１０はオーガ筒１６に固定状態に取付け、オーガ穀粒排出部１０に対して超音波センサ３５をオーガ筒１６の円周方向に首振りするように設け、超音波センサ３５を左右に首振りさせることによりタンク３６内にできる穀粒の山Ｙの高さを検出するように構成すると共に、横排出オーガ６を縦揚穀装置５中心に左右に旋回させて自動的に排出するように構成する。
即ち、オーガ穀粒排出部１０は、最初、最も低い位置で、タンク３６の左右の略中央真下に排出口１１を向けて排出させ、次に、縦揚穀装置５を回転させて排出口１１を左右何れか一方に旋回（横方向に移動）させてタンク３６の一方側へ排出させ、次に、縦揚穀装置５を回転させて排出口１１を左右何れか他方に旋回させてタンク３６の他方側へ排出させて、これを一行程とし、一行程の排出が終了すると、排出口１１を自動的に所定高さ上昇させて、また、中央真下位置から左右への旋回排出を反復させるように構成する。
【００１６】
したがって、タンク３６内の左右両側に均平に穀粒を排出させられ、しかも、一行程の排出が終了すると、排出口１１を自動的に所定高さに上昇させて、山Ｙから排出口１１を離すので、排出口１１に穀粒が詰まるのを防止する。
実施例の音波センサ３５は、モーター５５の出力軸５６に固定状態に取付け、モーター５５の出力軸５６を回転させて超音波センサ３５を左右に首振りさせる。
【００１７】
（実施例の作用）
機体を走行させて刈取部３により圃場の穀稈を刈取って脱穀装置２で脱穀し、脱穀した穀粒をグレンタンク４にて一時貯留し、グレンタンク４が一杯になると縦揚穀装置５により揚穀し、揚穀した穀粒を横排出オーガ６により、圃場近傍の運搬車のタンクに放出する。
前記横排出オーガ６は、縦揚穀装置５に中心に縦軸旋回自在に構成し、上下用シリンダ２６により先端が上下自在に構成しているから、縦軸旋回および上下させてトラックのタンクに位置合わせする。
横排出オーガ６の先端のオーガオーガ穀粒排出部１０の排出口１１は、前記縦揚穀装置５の軸芯中心として縦揚穀装置５の円周方向に旋回自在に構成しているから、オーガ穀粒排出部１０は、タンク３６の左右の略中央真下に排出口１１を向けて排出させ、次に、排出口１１を左右何れか一方に首振りさせて一方側へ排出させ、次に、排出口１１を左右何れか他方に首振りさせて他方側へ排出させると、タンク３６の隅々に穀粒を排出させることができ、タンク３６の穀粒の充填効率を向上させる。
【００１８】
即ち、スイング用モータ２１を駆動させて出力歯車２２を回転させ、出力歯車２２がオーガ穀粒排出部１０に固定の受動歯車２３を回転させ、オーガ穀粒排出部１０の排出口１１を左右何れか一方に首振りさせ、所定角度オーガ穀粒排出部１０を回動させると、ポテンショメータ２５の作動軸２６に固定のギヤ２７を回動させ、オーガ穀粒排出口１１の首振り角度を検出して、前記スイング用モータ２１の駆動を停止させる。
次に、排出口１１を左右何れか他方に首振りさせて他方側へ排出させる。
しかして、オーガ穀粒排出部１０に超音波センサ３５を設け、超音波センサ３５はタンク３６内にできる穀粒の山Ｙの高さを検出し、オーガ穀粒排出部１０をオーガ筒１６の円周方向に左右に首振りさせさせて排出し、次に、超音波センサ３５によりタンク３６内の山Ｙの高さを検出して所定高さになると、自動的にオーガ穀粒排出部１０を上昇させて、再び、首振りさせさせて排出し、これを反復する首振り排出自動制御を行う。
【００１９】
したがって、タンク３６の左右の略中央真下で少しの所定量を排出して、これを超音波センサ３５が検知すると、排出口１１（オーガ穀粒排出部１０）を左右に首振りさせて排出させ、この一行程の排出が終了すると、排出口１１を自動的に所定高さ上昇させて、また、中央真下位置から左右への首振り排出を反復させるから、タンク３６内の左右両側に均平に穀粒を排出させられ、しかも、一行程の排出が終了すると、排出口１１を自動的に所定高さに上昇させて、山Ｙから排出口１１を離すので、排出口１１に穀粒が詰まるのを防止する。
この場合、オーガ穀粒排出部１０の排出口１１が真下に向いたときに、超音波センサ３５が排出口１１と山Ｙとの距離を測定するように構成しているから、オーガ穀粒排出部１０の排出口１１が真下に向いたときに、超音波センサ３５が排出口１１と山Ｙとの距離を測定するので、排出口１１と山Ｙとの最短距離を選定することになり、穀粒がタンク３６から溢れるのを防止する。
【００２０】
しかして、排出口１１（オーガ穀粒排出部１０）の首振りは、自動的に行い、例えば、左右の略中央真下に排出して山Ｙが所定高さになったことを超音波センサ３５が検出すると、次の左右何れか一方に排出口１１を首振りさせ、次に、一方側へ穀粒排出して山Ｙが所定高さになったことを超音波センサ３５が検出すると、次の左右何れか他方に排出口１１を首振りさせて一行程の排出が終了すると、山Ｙより自動的に所定高さ排出口１１を上昇させ、前記中央真下位置から左右への首振り排出を反復させる。
したがって、操作性および作業性を向上させる。
しかして、排出口１１から山Ｙまでの所定距離は、排出口１１を左右方向に首振りさせたとき、首振り角度に応じて自動的に算出するように構成しているから、超音波センサ３５が、排出口１１の左右側に形成される山Ｙの高さを、中央の山Ｙの高さよりも高く誤認することを防止する。
【００２１】
即ち、真下に向いた排出口１１と山Ｙとの距離に対して左右側の山Ｙの高さは、同じ距離にすると、左右側の山Ｙが高くなってしまうが、真下に向いた排出口１１を基準として首振り角度に応じて、例えば、首振り角度が４５度とした場合、ルート２の距離と排出口１１から山Ｙまでの距離を自動的に算出し、ルート２の距離に山Ｙの高さがなったことを超音波センサ３５が検出すると、次の排出方向に排出口１１が首振りするように制御するから、排出制御の精度を向上させ、操作性および作業性を向上させる。
しかして、オーガ穀粒排出部１０の首振り角度は、操作部３８の角度設定ダイヤル３９により任意に設定できるように構成しているから、穀粒運搬車のタンク３６の大きさや形状に合わせて首振り角度を変更でき、タンク３６内への隅々にまで穀粒を均平に排出させることができ、タンク３６の穀粒充填効率を向上させることができる。
【００２２】
しかして、同様に、首振り排出自動制御中の、左右首振り行程後のオーガ穀粒排出部１０の上昇行程において、この上昇高を排出高さ設定ダイヤル５０により任意に設定できるように構成しているから、穀粒運搬車のタンク３６の高さに合わせて排出高さを変更でき、タンク３６内への隅々にまで穀粒を均平に排出させることができ、タンク３６の穀粒充填効率を向上させることができる。
しかして、オーガ穀粒排出部１０に設けた超音波センサ３５により排出口１１と山Ｙとの距離が所定以下に近づくと、間欠音の報知手段５１を鳴動させ、排出口１１に山Ｙが接触する間際にまで近づくと連続音で報知手段５１を鳴動させるように構成しているから、作業者は自動制御により穀粒排出中であっても、排出作業の経過（経緯）を容易に理解することができ、不慮の事故に迅速に対応できる。
【００２３】
しかして、首振り排出自動制御は、コンバインの穀粒排出クラッチ５２が「入り」から「切り」にするまで、前記行程を反復するように構成しているから、穀粒排出クラッチ５２が「入り」になると、首振り排出自動制御が開始され、穀粒排出クラッチ５２を「切り」にすると、首振り排出自動制御を終了させることができ、操作性および作業性を向上させる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【図面の簡単な説明】
【００２４】
【図１】コンバイン側面図。
【図２】同平面図。
【図３】ブロック図。
【図４】オーガ穀粒排出部の回転機構の斜視図。
【図５】オーガ穀粒排出部の斜視図。
【図６】排出状態図。
【図７】一方側への首振り排出状態図。
【図８】他方側への首振り排出状態図。
【図９】首振り排出の一行程終了後のオーガ穀粒排出部の上昇状態説明図。
【図１０】首振り角度と距離の説明図。
【図１１】超音波センサの距離測定状態の説明図。
【図１２】首振り角度の説明図。
【図１３】首振り排出状態の斜視図。
【図１４】他の実施例のオーガ穀粒排出部の斜視図。
【図１５】他の実施例のオーガ穀粒排出部の斜視図。
【符号の説明】
【００２５】
１…走行装置、２…脱穀装置、３…刈取部、４…グレンタンク、５…縦揚穀装置、６…横排出オーガ、７…操縦部、１０…オーガ穀粒排出部、１１…排出口、１２…揚穀筒、１３…旋回モーター、１５…上下用シリンダ、１６…オーガ筒、２０…回転機構、２１…スイング用モータ、２２…出力歯車、２３…受動歯車、２４…スイング位置検出装置、２５…ポテンショメータ、２６…作動軸、２７…ギヤ、３５…超音波センサ、３９…角度設定ダイヤル、４０…主変速レバー、４１…副変速レバー、４２…脱穀クラッチレバー、４３…刈取クラッチスイッチ、４４…手動扱深さスイッチ、４５…自動扱深さスイッチ、４６…自動方向制御スイッチ、４７…刈取駆動自動停止制御スイッチ、５０…排出高さ設定ダイヤル、５１…報知手段、
【図１】
2009011171.tif 000003
【図２】
2009011171.tif 000004
【図３】
2009011171.tif 000005
【図４】
2009011171.tif 000006
【図５】
2009011171.tif 000007
【図６】
2009011171.tif 000008
【図７】
2009011171.tif 000009
【図８】
2009011171.tif 000010
【図９】
2009011171.tif 000011
【図１０】
2009011171.tif 000012
【図１１】
2009011171.tif 000013
【図１２】
2009011171.tif 000014
【図１３】
2009011171.tif 000015
【図１４】
2009011171.tif 000016
【図１５】
2009011171.tif 000017